(57)【要約】【課題】鍵の出し入れをした人物の画像と、出し入れされた鍵を特定する情報とを記録する。【解決手段】鍵管理装置は、鍵３０が着脱自在である本体を有する。本体は、開閉する扉を有する。扉検知回路６６は、扉が開放可能な状態であるか否かを検出する。カメラ１７は、本体前方の画像を撮影して記録する。近接スイッチ４０は、鍵３０の着脱に応じて当該鍵のＯＮ／ＯＦＦ状態を切替える。鍵検出回路６２は、鍵スイッチ４０の切替に応じて当該鍵のＯＮ／ＯＦＦ状態を認識する。扉が開放可能な状態のとき、鍵検出回路６２は当該鍵のデータを出力し、かつ、撮像装置は撮影された映像の記録を実行する。【選択図】図３
2013213377.tif 000002
【特許請求の範囲】
【請求項１】
鍵が着脱自在である本体と、
前記本体を開閉する扉と、
前記扉が開放可能な状態であるか否かを検出する扉検知回路と、
前記本体前方の画像を撮影して記録する撮像装置と、
前記鍵の着脱に応じて当該鍵のＯＮ／ＯＦＦ状態を切替える鍵スイッチと、
前記鍵スイッチの切替に応じて当該鍵のＯＮ／ＯＦＦ状態を認識する鍵検出回路とを有し、
前記扉が開放可能な状態のとき、前記鍵検出回路は当該鍵のデータを出力し、かつ、前記撮像装置は撮影された映像の記録を実行することを特徴とする鍵管理装置。
【請求項２】
前記撮像装置は、前記本体前方の画像と、前記鍵検出回路から受信した当該鍵のＯＮ／ＯＦＦ状態の情報とを１つの画面上に表示した状態で記録することを特徴とする請求項１に記載の撮像装置。
【請求項３】
当該鍵のＯＮ／ＯＦＦ状態の情報は最大で７個の鍵に対応する情報であることを特徴とする請求項２に記載の撮像装置。
【請求項４】
前記扉検知回路において前記扉が解放可能な状態にあることを検知した所定時間前から、
前記扉検知回路において前記扉が解放不能な状態にあることを検知した所定時間後までの映像を記録することを特徴とする請求項１に記載の鍵管理装置。
【発明の詳細な説明】
【技術分野】
【０００１】
本発明は、鍵の出し入れを映像によって記録管理する鍵管理装置に関する。
【背景技術】
【０００２】
従来、一列に並べて保管された鍵に対して、列の両端に１対の発光部及び受光部を設けるだけで、未返却の鍵の有無を検出する鍵管理装置が知られている（特許文献１）。この装置は、鍵が所定の位置に無いとき、光路上の鍵の無い位置において、遮光部材が突出する構成である。この構成により、発光部からの光が遮られて受光部へ光が届かないとき、一列のうちのいずれかの鍵が所定の位置に戻されていないことが検出される。
【先行技術文献】
【特許文献】
【０００３】
【特許文献１】特開２００８−３０８８７９号公報
【発明の概要】
【発明が解決しようとする課題】
【０００４】
しかし、この装置では、一列に並べられた鍵の内、存在しない鍵を特定することが出来ず、また、鍵の出し入れをした人物を特定することも出来ない。
【０００５】
そこで、本発明では、鍵の出し入れをした人物の画像と、出し入れされた鍵を特定する情報とを１つの映像に記録することが可能となる、鍵管理装置を提供することを目的としている。
【課題を解決するための手段】
【０００６】
本発明に係る鍵管理装置は、鍵が着脱自在である本体と、本体を開閉する扉と、扉が開放可能な状態であるか否かを検出する扉検知回路と、本体前方の画像を撮影して記録する撮像装置と、鍵の着脱に応じて当該鍵のＯＮ／ＯＦＦ状態を切替える鍵スイッチと、鍵スイッチの切替に応じて当該鍵のＯＮ／ＯＦＦ状態を認識する鍵検出回路とを有し、扉が開放可能な状態のとき、鍵検出回路は当該鍵のデータを出力し、かつ、撮像装置は撮影された映像の記録を実行することを特徴とする。
【０００７】
また、撮像装置は、本体前方の画像と、鍵検出回路から受信した当該鍵のＯＮ／ＯＦＦ状態の情報とを１つの画面上に表示した状態で記録することが好ましい。
【０００８】
さらに、当該鍵のＯＮ／ＯＦＦ状態の情報は最大で７個の鍵に対応する情報であることが好ましい。
【０００９】
また、扉検知回路において扉が解放可能な状態にあることを検知した所定時間前から、扉検知回路において扉が解放不能な状態にあることを検知した所定時間後までの映像を記録することが好ましい。
【発明の効果】
【００１０】
本発明によれば、鍵の出し入れをした人物の画像と、出し入れされた鍵を特定する情報とを１つの映像に記録することが可能となる。
【図面の簡単な説明】
【００１１】
【図１】本発明の実施形態を適用した鍵管理装置の外観図である。
【図２】図１の内部の構成を表す模式図である。
【図３】図１の電気的な構成を表すブロック図である。
【図４】本発明の実施形態における鍵管理装置の操作手順を表すフローである。
【図５】本発明の本実施形態における鍵管理装置による記録画像を示す図である。
【発明を実施するための形態】
【００１２】
以下、本発明の一実施形態について図面を参照して説明する。図１を参照すると、鍵管理装置１０は、固定部１２と扉１１と本体１３とを有する。扉１１と本体１３とは蝶番１５によって開閉自在に設けられる。固定部１２は、４つの暗証ロック１６を有するダイヤル１４と、操作者を撮影するための撮像装置であるカメラ１７と、電源の入切を知らせる電源ランプ１８と、カメラ１７の録画を知らせる録画ランプ２０とを備える。
【００１３】
扉１１と本体１３とは、暗証ロック１６によって施錠されて固定される。すなわち、暗証ロック１６が解錠番号にセットされると、ダイヤル１４は回転可能となり、ダイヤル１４が回転されてロック機構が解放されると、扉１１は蝶番１５を中心に回動可能になる。また、ダイヤル１４が回転されるとカメラ１７において録画が実行されるとともに、録画ランプ２０の点滅が開始する。カメラ１７は、電源が入っている間常時撮影を行うが、撮影された映像の記録は、以下に詳述する所定の時間に行われる。
【００１４】
扉１１は、表示部２２を有し、鍵管理装置１０内の着脱自在な鍵の有無を知らせる。すなわち、１番の鍵が存在する場合には、１番の鍵ランプ２４が点灯し、存在しない場合には鍵ランプ２４は消灯する。鍵ランプ２４は、鍵管理装置１０内に格納される鍵の番号に対応した数だけ設けられる。本実施形態において、鍵は１８本収納されるため、表示部２２内の鍵ランプ２４は１８個設けられ、個々の鍵の出し入れの度に鍵ランプ２４は、点灯と消灯を繰り返す。
【００１５】
図２を参照し、鍵管理装置１０内部の機械的な構成を説明する。図２は、扉１１が蝶番１５を中心に回動され開けられた状態を表す。扉１１には、ロック部材（図示せず）が挿通されるための開口２７を有する突出片２６が設けられる。
【００１６】
扉１１が図１のように閉じられ施錠されているとき、突出片２６は、本体１３に設けられた長穴２８内に嵌め込まれた状態である。嵌め込まれた突出片２６の開口２７にはロック部材が挿通される。ロック部材が開口２７に挿通されることによって、扉１１と本体１３は固定される。
【００１７】
４つの暗証ロック１６が解錠番号にセットされると、ダイヤル１４は回転可能となる。ダイヤル１４が解錠方向に回転されると、ロック部材は開口２７から解放される。これにより、扉１１は本体１３から開放可能になり、図２のように全開される。同時に、ＬＥＤ３８の点灯が開始されて、カメラ１７において撮影された映像の記録が実行される。
【００１８】
本体１３の内側には、鍵３０が上段横一列に９個、下段横一列に９個格納される。鍵番号表３６に示されるように、各々の鍵は固有の鍵番号を有する。本実施形態では、上段左端を１番として昇順に右端を９番とし、下段左端を１０番として昇順にその右端を１８番とする。図２において、鍵１７番を除く全ての鍵３０は、所定の位置に格納されている。なおこのとき、表示部２２（図１参照）の鍵ランプ２４は１７番以外の全てが点灯している状態である。
【００１９】
鍵３０は、反射板３２に取り付けられる。反射板３２は、本体１３に備えられるフック（図示せず）に係合されるための係合穴３４を有し、反射板３２と鍵３０とはフックによって本体１３の内側にぶら下げられる。また、鍵３０が取り外された１７番において、近接スイッチ（鍵スイッチ）４０が露出される。後に詳述するように、近接スイッチ４０は、鍵３０の有無を検出するために設けられる。
【００２０】
図３を参照し、近接スイッチ４０について説明する。図３右下の３つの近接スイッチの図は、左から順に、図２における鍵番号表３６に示された鍵番号１６、鍵番号１７、鍵番号１８の状態に相当する。なお、鍵３０及び反射板３２は、厚さ方向から見た図である。近接スイッチ４０には、発光ダイオード（図示せず）および受光ダイオード（図示せず）が内蔵される。
【００２１】
反射板３２が近接スイッチ４０によって対向しているＯＮ状態のとき、すなわち、鍵３０が所定の位置に存在する鍵番号１６及び鍵番号１８の状態のとき、発光ダイオードから発せられた光は、反射板３２によって反射されて受光ダイオードに入射して電気信号が発生する。
【００２２】
反射板３２が近接スイッチ４０によって対向していないＯＦＦ状態のとき、すなわち、鍵３０が所定の位置に存在しない鍵番号１７の状態のとき、発光ダイオードから発せられた光は、反射板３２によって反射されず受光ダイオードに入射せず電気信号は発生しない。
【００２３】
発生した電気信号（データ）は、鍵検出回路６２へ送信される。すなわち、鍵３０が存在するときスイッチはＯＮ状態となって電気信号が送信され、存在しないときスイッチはＯＦＦ状態となって電気信号は送信されない。このように、鍵検出回路６２において、各々の鍵３０の有無が検出される。
【００２４】
具体的には、鍵番号１６、鍵番号１８の位置には、受光ダイオードへ光が入射することによって発生した電気信号が鍵検出回路６２へ出力され、鍵検出回路６２において鍵３０の存在が認識される。またこのとき、図１における表示部２２の鍵番号１６及び鍵番号１８に対応する鍵ランプ２４が点灯される。
【００２５】
一方、鍵番号１７の位置の受光ダイオードには、光が入射しないことによって電気信号は発生しないため、電気信号が鍵検出回路６２へ出力されず、鍵検出回路６２において鍵３０が存在しないことが認識される。このときの表示部２２の鍵番号１７に対応する鍵ランプ２４は消灯される。
【００２６】
ここで、反射板３２が外されて、近接スイッチ４０が露出していることを正確に認識するために、図２に示されるように光吸収板４４が扉１１の内側に設けられる。扉１１が閉じられたとき、扉１１の内側の面に反射した光が入射することにより、反射板３２が存在すると誤認識されることを防止するためである。
【００２７】
図３及び図４を参照し、鍵管理装置１０の電気的な構成について説明する。図３に示される電気回路は、本体１３に内蔵される。扉１１（図２参照）は閉じられた状態とする。ステップＳ０１において、４つの暗証ロック１６の番号を解錠番号にセットする。このときダイヤル１４は回転可能となる。
【００２８】
ステップＳ０２において、ダイヤル１４を解錠方向に回転して、ロック部材が開口２７（図２参照）から抜かれると、扉１１が解放可能となる。このとき、扉検知回路６６において、扉１１が解放可能であることが認識される。なお、導電性のロック部材が、扉検知回路６６における電気的な接点となる構成にすることにより、扉１１が解放可能となったことが電気的に認識される。
【００２９】
扉検知回路６６において、扉１１が解放可能な状態にあることが検知されると、ＬＥＤである光源３８へ点灯開始の信号と、レコーダ６４へ録画開始の信号が伝達される。これにより、ステップＳ０３において、光源３８の点灯とこの数秒前からの映像の記録とが開始される。つまり、扉１１が開けられる状態になると、光源３８が点灯し、本体１３の前方の画像である、扉１１を開けた人物が明るく照らし出される。このように、光源３８が設けられることによって、暗い場所においても、扉１１を開けた人物が鮮明に記録される。
【００３０】
ここで、カメラ１７によって撮影される映像は、電源投入中は常に一時的なメモリ（図示せず）に保存され続けるが、記録管理するために記録媒体（図示せず）へ記録される映像は所定の時間の映像に限られる。厳密には、記録は、扉検知回路６６が、扉１１が解放可能な状態にあることを検知したときに開始される。ただし、記録される映像は、扉が解放可能な状態にあることを検知した所定時間前、例えば５秒前からの映像である。この５秒前の映像は、一時的なメモリから取り出される。
【００３１】
ステップＳ０４において、鍵３０の出し入れが実施される。このとき、上述のように、近接スイッチ４０では、各々の鍵３０が所定の場所にあるか否かが検出される。鍵３０が取り出されたとき、近接スイッチ４０に入射していた光が入射しなくなることによって鍵３０の取り出しが認識される。鍵３０が所定の位置に戻されたとき、近接スイッチ４０に今まで入射していなかった光が入射することによって、鍵３０が所定の位置に戻されたことが認識される。
【００３２】
入射光の有無、すなわち鍵３０の有無は、電気信号として鍵検出回路６２に伝達される。出し入れされた鍵３０の番号は、鍵検出回路６２における電気信号の入力ポートによって識別される。鍵検出回路６２で認識された鍵の番号は、レコーダ６４に伝達され、以下で詳述するように、数字として記録媒体（図示せず）に記録される。
【００３３】
ステップＳ０５において、扉１１が閉められ、ダイヤル１４が施錠方向に回転される。このとき、扉検出回路６６における電気的な接点であるロック部材が開口２７（図２参照）に挿通されることにより、扉１１が解放不能となったことが認識される。扉検知回路６６において、扉１１が解放不能な状態にあることが検知されると、ＬＥＤ３８へ点灯終了の信号と、レコーダ６４へ録画終了の信号が伝達される。これにより、ステップＳ０６において、ＬＥＤ３８は消灯しレコーダ６４はこの数秒後に記録を終了する。厳密には、記録は、扉検知回路６６が、扉が解放可能な状態にあることを検知した所定の時間後、例えば５秒後まで行われる。
【００３４】
ステップＳ０７において、ロック１６が非解錠番号にセットされると、ダイヤル１４は回転不能となり、扉１１は施錠される。ステップＳ０８において、施錠が確認されると処理は終了する。
【００３５】
図５を参照し、レコーダ６４において記録される撮影画面を説明する。記録は、上述のように、図４におけるステップＳ０３からＳ０６までの間に行われる。撮影された映像は、図２における記録媒体収納部４２内に備えられた記録媒体（図示せず）に記録される。記録媒体に記録された画像８０には、画面中央に扉１１を開けた人物８２と、その左上にはその間の日時８４と、左下には出し入れした鍵３０の番号とが記録される。
【００３６】
画面左下の収納番号８６は、扉１１が開かれている間に収納された鍵３０の番号が表示される。同様に、収納番号８６の直下に示された取出番号８８は、扉１１が開かれている間に取り出された鍵３０の番号が表示される。扉１１が開かれた時点では、収納番号８６および取出番号８８には何も表示されず、扉１１が開けられてから閉められるまでの間において出し入れされた鍵３０の番号が表示される。
【００３７】
本実施形態では、収納番号８６、取出番号８８の各々に最大７個の鍵に対応する７つの番号が表示される。例えば、図５における収納番号８６は、鍵番号が２番と１８番との鍵３０がＯＮ状態、すなわち収納されたことを示す。取出番号８８は、鍵番号が９番と１０番との鍵３０がＯＦＦ状態、すなわち取り出されたことを示す。
【００３８】
鍵３０の出し入れは、上述の近接スイッチ４０のＯＮ／ＯＦＦの切替に応じて認識される。なお、扉１１が開かれてから閉じられる間に鍵３０の出し入れが無いときは、収納番号８６および取出番号８８には鍵番号は表示されず、人物８２と日時８４とが記録される。
【００３９】
このように、鍵の出し入れをした人物の画像と、出し入れされた鍵を特定する情報とを１つの映像に記録することが可能となる。
【００４０】
なお、本実施形態における鍵３０と反射板３２とは直接取付けられる必要は無く、リング状のキーホルダ等を介して取付けられても良い。すなわち、１つの鍵番号に対して１本だけではなく複数本の鍵３０が取付けられても良い。
【００４１】
また、近接スイッチ４０から鍵検出回路６２へ送信されるデータは、近接スイッチ４０のＯＮ／ＯＦＦ状態だけではなく、鍵の番号情報を付加して送信しても良い。この場合、鍵検出回路６２において、ポートが近接スイッチ４０毎に分けられる必要はない。
【符号の説明】
【００４２】
１１  扉
１３  本体
１７  カメラ（撮像装置）
３０  鍵
４０  近接スイッチ（鍵スイッチ）
６２  鍵検出回路
６６  扉検知回路
【図１】
2013213377.tif 000003
【図２】
2013213377.tif 000004
【図３】
2013213377.tif 000005
【図４】
2013213377.tif 000006
【図５】
2013213377.tif 000007